(57)【要約】      （修正有）【課題】  光ピックアップアクチュエータ及びこれを採用した光記録及び／または再生機器、並びに方法を提供する。【解決手段】  対物レンズ１０が搭載されて、サスペンション１３によってベース１１に対して動き自在に支持されるレンズホルダ２０と、対物レンズ１０を駆動するための磁気回路とを含む光ピックアップアクチュエータである。相互対面するようにベース１１に位置する一対の単極着磁磁石３１と、一対の単極着磁磁石３１間に位置するようにレンズホルダ２０に設置されるフォーカスコイル３３と、単極着磁磁石３１と対面するフォーカスコイル３３の側面に位置する複数のトラッキングコイル３５と、対物レンズ１０の中心軸の上下方向に対応するフォーカスコイル３３の上部及び／または下部に位置する複数のチルトコイル３７と、を含む光ピックアップアクチュエータの磁気回路である。【選択図】  図２
2004234832.tif 000002
【特許請求の範囲】
【請求項１】
対物レンズが搭載され、サスペンションによってベースに対して動き自在に支持されるレンズホルダと、前記対物レンズを駆動するための磁気回路と、を含む光ピックアップアクチュエータにおいて、
前記磁気回路は、
相互対面するように前記ベースに位置した一対の単極着磁磁石と、
前記一対の単極着磁磁石間に位置するように前記レンズホルダに設置されるフォーカスコイルと、
前記単極着磁磁石と対面する前記フォーカスコイルの側面に位置する複数のトラッキングコイルと、
前記対物レンズの中心軸の上下方向に対応する前記フォーカスコイルの上部及び／または下部に位置する複数のチルトコイルと、を含むことを特徴とする光ピックアップアクチュエータ。
【請求項２】
前記一対の単極着磁磁石は、前記レンズホルダの両側面と対面するようにベースに位置し、前記フォーカスコイルは、前記レンズホルダの周りに巻線され、前記トラッキングコイルは、前記単極着磁磁石と対面する前記レンズホルダの側面に設置され、前記チルトコイルは、前記レンズホルダの上部及び／または下部に設置された対称形構造であることを特徴とする請求項１に記載の光ピックアップアクチュエータ。
【請求項３】
前記レンズホルダに前記トラッキングコイルを巻線できるように複数の巻取枠が形成され、その巻取枠にトラッキングコイルを巻線するか、前記レンズホルダにトラッキングコイルを付着する構造になることを特徴とする請求項２に記載の光ピックアップアクチュエータ。
【請求項４】
前記レンズホルダの上部及び／または下部の対物レンズのラジアル方向に沿う両側に巻取枠が形成されており、前記チルトコイルは、前記レンズホルダの上部及び／または下部に形成された一対の巻取枠に各々巻線されることを特徴とする請求項２に記載の光ピックアップアクチュエータ。
【請求項５】
前記レンズホルダには前記対物レンズを設置するための設置部が前記レンズホルダの上部に配置されたチルトコイルと離隔形成されており、前記フォーカスコイル、トラッキングコイル及び／またはチルトコイルによって発生した熱が前記対物レンズに及ぼす影響を減らせることを特徴とする請求項２ないし４のうち何れか一項に記載の光ピックアップアクチュエータ。
【請求項６】
前記レンズホルダには前記フォーカスコイル、トラッキングコイル及び／またはチルトコイルから発生した熱が対物レンズに伝えられることを抑制するために熱伝達遮断用孔が少なくとも一つ以上形成されていることを特徴とする請求項２ないし４のうち何れか一項に記載の光ピックアップアクチュエータ。
【請求項７】
前記対物レンズは、前記レンズホルダの一側に搭載され、前記一対の単極着磁磁石は、前記対物レンズの一側から相互対面するように前記ベースに位置し、
前記フォーカスコイル、トラッキングコイル及びチルトコイルを含むコイルアセンブリが前記一対の単極着磁磁石間に位置するように前記レンズホルダに搭載される非対称形構造であることを特徴とする請求項１に記載の光ピックアップアクチュエータ。
【請求項８】
前記コイルアセンブリは、少なくともフォーカスコイルが整列巻線されるボビンをさらに含むことを特徴とする請求項７に記載の光ピックアップアクチュエータ。
【請求項９】
前記ボビンには前記トラッキングコイルを巻線できるように巻取枠が形成されており、前記トラッキングコイルは、前記ボビンに形成された巻取枠に巻線されることを特徴とする請求項８に記載の光ピックアップアクチュエータ。
【請求項１０】
前記ボビンの上部及び／または下部の対物レンズのラジアル方向に沿う両側に巻取枠が形成されており、前記チルトコイルは、前記ボビンの上部及び／または下部に形成された一対の巻取枠に各々巻線されることを特徴とする請求項８に記載の光ピックアップアクチュエータ。
【請求項１１】
前記コイルアセンブリは、前記フォーカスコイル、トラッキングコイル及びチルトコイルであらかじめ巻線されたバルク型コイルを使用し、前記フォーカスコイルに前記トラッキングコイル及びチルトコイルを付着した構造であることを特徴とする請求項７に記載の光ピックアップアクチュエータ。
【請求項１２】
磁巻取枠をガイドするために、前記磁気回路の上部に位置するブリッジをさらに含むことを特徴とする請求項７ないし１１のうち何れか一項に記載の光ピックアップアクチュエータ。
【請求項１３】
前記ブリッジから延び、前記一対の単極着磁磁石を支持する一対の外側ヨーク及び／または前記ブリッジから延び、前記コイルアセンブリのチルトコイルの内側に配置される一対の内側ヨークをさらに含むことを特徴とする請求項１２に記載の光ピックアップアクチュエータ。
【請求項１４】
前記ベースに形成されており、前記単極着磁磁石がマウントされる一対の外側ヨーク及び／または、
前記チルトコイルの内側に位置するようにベースに形成された一対の内側ヨークをさらに備えることを特徴とする請求項１ないし５、７ないし１１のうち何れか一項に記載の光ピックアップアクチュエータ。
【請求項１５】
前記トラッキングコイルが前記フォーカスコイルより前記単極着磁磁石に近く位置することを特徴とする請求項１ないし５、７ないし１１のうち何れか一項に記載の光ピックアップアクチュエータ。
【請求項１６】
前記フォーカスコイルが前記トラッキングコイルより単極着磁磁石に近く位置することを特徴とする請求項１ないし５、７ないし１１のうち何れか一項に記載の光ピックアップアクチュエータ。
【請求項１７】
前記磁気回路は、一対の単一単極着磁磁石だけを備えることを特徴とする請求項１ないし５、７ないし１１のうち何れか一項に記載の光ピックアップアクチュエータ。
【請求項１８】
前記アクチュエータは、２面使用３軸駆動の光ピックアップアクチュエータであることを特徴とする請求項１ないし５、７ないし１１のうち何れか一項に記載の光ピックアップアクチュエータ。
【請求項１９】
対物レンズが搭載され、サスペンションによってベースに対して動き自在に支持されるレンズホルダと、前記対物レンズを駆動するための磁気回路と、を含む光ピックアップアクチュエータにおいて、
前記磁気回路は、
前記対物レンズの一側で相互対面するように前記ベースに位置する一対の単極着磁磁石と、
前記一対の単極着磁磁石間に位置するように前記レンズホルダに設置され、前記一対の単極着磁磁石が配置される方向とクロスされる方向に配置された一対のフォーカスコイルと、前記単極着磁磁石と対面する前記一対のフォーカスコイルの少なくとも一側面に位置する複数のトラッキングコイルとを含み、前記一対の単極着磁磁石間に位置するように前記レンズホルダに搭載されるコイルアセンブリと、を含む非対称形構造であることを特徴とする光ピックアップアクチュエータ。
【請求項２０】
前記コイルアセンブリは、前記フォーカスコイル及びトラッキングコイルであらかじめ巻線されたバルク型コイルを使用し、前記一対のフォーカスコイルに前記複数のトラッキングコイルを付着した構造であることを特徴とする請求項１９に記載の光ピックアップアクチュエータ。
【請求項２１】
前記磁気回路は、一対の単一単極着磁磁石だけを備えることを特徴とする請求項１９に記載の光ピックアップアクチュエータ。
【請求項２２】
前記アクチュエータは、２面使用３軸駆動の光ピックアップアクチュエータであることを特徴とする請求項１９に記載の光ピックアップアクチュエータ。
【請求項２３】
対物レンズを駆動するアクチュエータを備え、光情報保存媒体の半径方向に移動可能に設置されて光情報保存媒体に記録された情報を再生及び／または情報を記録する光ピックアップと、フォーカス、トラック及び／またはチルトサーボを制御するための制御部と、を含む光記録及び／または再生機器において、
前記アクチュエータは、
対物レンズが搭載され、サスペンションによってベースに対して動き自在に支持されるレンズホルダと、
相互対面するように前記ベースに位置する一対の単極着磁磁石と、前記一対の単極着磁磁石間に位置するように前記レンズホルダに設置されるフォーカスコイルと、前記単極着磁磁石と対面する前記フォーカスコイルの側面に位置する複数のトラッキングコイルと、前記対物レンズの中心軸の上下方向に対応する前記フォーカスコイルの上部及び／または下部に位置する複数のチルトコイルとを含み、前記対物レンズを駆動する磁気回路と、を含むことを特徴とする光記録及び／または再生機器。
【請求項２４】
前記一対の単極着磁磁石は、前記レンズホルダの両側面と対面するようにベースに位置し、前記フォーカスコイルは、前記レンズホルダの周りに巻線され、前記トラッキングコイルは、前記単極着磁磁石と対面する前記レンズホルダの側面に設置され、前記チルトコイルは、前記レンズホルダの上部及び／または下部に設置された対称形構造であることを特徴とする請求項２３に記載の光記録及び／または再生機器。
【請求項２５】
前記レンズホルダに前記トラッキングコイルを巻線できるように複数の巻取枠が形成され、その巻取枠にトラッキングコイルを巻線するか、または前記レンズホルダにトラッキングコイルを付着する構造になることを特徴とする請求項２４に記載の光記録及び／または再生機器。
【請求項２６】
前記レンズホルダの上部及び／または下部の対物レンズのラジアル方向に沿う両側に巻取枠が形成されており、チルトコイルは、前記レンズホルダの上部及び／または下部に形成された一対の巻取枠に各々巻線されることを特徴とする請求項２４に記載の光記録及び／または再生機器。
【請求項２７】
前記レンズホルダには前記フォーカスコイル、トラッキングコイル及び／またはチルトコイルから発生した熱が対物レンズに伝えられることを抑制するために熱伝達遮断用孔が少なくとも一つ以上形成されていることを特徴とする請求項２４ないし２６のうち何れか一項に記載の光記録及び／または再生機器。
【請求項２８】
前記対物レンズは、前記レンズホルダの一側に搭載され、前記一対の単極着磁磁石は、前記対物レンズの一側で相互対面するように前記ベースに位置し、
前記フォーカスコイル、トラッキングコイル及びチルトコイルを含むコイルアセンブリが前記一対の単極着磁磁石間に位置するように前記レンズホルダに搭載される非対称形構造であることを特徴とする請求項２３に記載の光記録及び／または再生機器。
【請求項２９】
前記コイルアセンブリは、少なくともフォーカスコイルが整列巻線されるボビンをさらに含むことを特徴とする請求項２８に記載の光記録及び／または再生機器。
【請求項３０】
前記ボビンには前記トラッキングコイルを巻線できるように巻取枠が形成されており、前記トラッキングコイルは、前記ボビンに形成された巻取枠に巻線されることを特徴とする請求項２９に記載の光記録及び／または再生機器。
【請求項３１】
前記ボビンの上部及び／または下部の対物レンズのラジアル方向に沿う両側に巻取枠が形成されており、前記チルトコイルは、前記ボビンの上部及び／または下部に形成された一対の巻取枠に各々巻線されることを特徴とする請求項２９に記載の光記録及び／または再生機器。
【請求項３２】
前記コイルアセンブリは、前記フォーカスコイル、トラッキングコイル及びチルトコイルであらかじめ巻線されたバルク型コイルを使用し、前記フォーカスコイルに前記トラッキングコイル及びチルトコイルを付着した構造であることを特徴とする請求項２８に記載の光記録及び／または再生機器。
【請求項３３】
磁巻取枠をガイドするために、前記磁気回路の上部に位置するブリッジをさらに含むことを特徴とする請求項２８ないし３２のうち何れか一項に記載の光記録及び／または再生機器。
【請求項３４】
前記ブリッジから延び、前記一対の単極着磁磁石を支持する一対の外側ヨーク及び／または前記ブリッジから延び、前記コイルアセンブリのチルトコイルの内側に配置される一対の内側ヨークをさらに含むことを特徴とする請求項３３に記載の光記録及び／または再生機器。
【請求項３５】
前記ベースに形成されており、前記単極着磁磁石がマウントされる一対の外側ヨーク及び／または前記チルトコイルの内側に位置するようにベースに形成された一対の内側ヨークをさらに備えることを特徴とする請求項２３ないし２６、２８ないし３２のうち何れか一項に記載の光記録及び／または再生機器。
【請求項３６】
前記トラッキングコイルが前記フォーカスコイルより前記単極着磁磁石に近く位置することを特徴とする請求項２３ないし２６、２８ないし３２のうち何れか一項に記載の光記録及び／または再生機器。
【請求項３７】
前記フォーカスコイルが前記トラッキングコイルより単極着磁磁石に近く位置することを特徴とする請求項２３ないし２６、２８ないし３２のうち何れか一項に記載の光記録及び／または再生機器。
【請求項３８】
前記磁気回路は、一対の単一単極着磁磁石を含むことを特徴とする請求項２３ないし２６、２８ないし３２のうち何れか一項に記載の光記録及び／または再生機器。
【請求項３９】
前記アクチュエータは、２面使用３軸駆動の光ピックアップアクチュエータであることを特徴とする請求項２３ないし２６、２８ないし３２のうち何れか一項に記載の光記録及び／または再生機器。
【請求項４０】
対物レンズを駆動するアクチュエータを備え、光情報保存媒体の半径方向に移動可能に設置されて光情報保存媒体に記録された情報を再生及び／または情報を記録する光ピックアップと、フォーカス、トラック及び／またはチルトサーボを制御するための制御部と、を含む光記録及び／または再生機器において、
前記アクチュエータは、
対物レンズが搭載され、サスペンションによってベースに対して動き自在に支持されるレンズホルダと、
前記対物レンズの一側で相互対面するように前記ベースに位置する一対の単極着磁磁石と、前記一対の単極着磁磁石間に位置するように前記レンズホルダに設置され、前記一対の単極着磁磁石が配置される方向とクロスされる方向に配置された一対のフォーカスコイルと、前記単極着磁磁石と対面する前記一対のフォーカスコイルの少なくとも一側面に位置する複数のトラッキングコイルとを含み、前記一対の単極着磁磁石間に位置するように前記レンズホルダに搭載されるコイルアセンブリを含んで、対物レンズを駆動する磁気回路と、を含む非対称形構造であることを特徴とする光記録及び／または再生機器。
【請求項４１】
前記コイルアセンブリは、前記フォーカスコイル及びトラッキングコイルであらかじめ巻線されたバルク型コイルを使用し、前記一対のフォーカスコイルに前記複数のトラッキングコイルを付着した構造であることを特徴とする請求項４０に記載の光記録及び／または再生機器。
【請求項４２】
光ピックアップアクチュエータの対物レンズが搭載される動き可能なレンズホルダの制御正確度を増加させる方法において、
一対の単極磁石から発生した磁巻取枠の方向を制御する段階と、
前記レンズホルダの上部に位置した一対のチルトコイル各々を通じて電流が流れる方向を制御する段階と、
前記動き可能なレンズホルダを動かす段階と、を含み、
前記チルトコイルは、相互反対側に巻線されて前記一対の単極磁石と対面することを特徴とする方法。
【請求項４３】
前記対物レンズのラジアル方向に前記レンズホルダの上部に巻取枠が形成されたことを特徴とする請求項４２に記載の方法。
【請求項４４】
前記チルトコイルは、フォーカスコイルと平行に巻線され、前記動き可能なレンズホルダを動かす段階は、ラジアルチルト方向に前記レンズホルダを駆動する段階を含むことを特徴とする請求項４２に記載の方法。
【請求項４５】
前記対物レンズの近くにラジアルチルト駆動力の中心を置くことによってフォーカス動きにおける干渉を減少させる段階をさらに備えることを特徴とする請求項４２に記載の方法。
【発明の詳細な説明】
【技術分野】
【０００１】
本発明は光ピックアップアクチュエータ及びこれを採用した光記録及び／または再生機器に係り、さらに詳細には磁石の数を減らして低コスト型に製作できるチルト駆動可能な光ピックアップアクチュエータ及びこれを採用した光記録及び／または再生機器、並びに方法に関する。
【背景技術】
【０００２】
光ピックアップは、光記録及び／または再生機器に採用されて光情報保存媒体である光ディスクの半径方向に移動しつつ非接触式に光ディスクに対して情報の記録及び／または再生を行う装置である。
【０００３】
このような光ピックアップは、光源から出射された光が光ディスク上の正しい位置に光スポットに形成されるように、対物レンズをトラッキング方向、フォーカス方向及び／またはチルト方向に駆動するアクチュエータを必要とする。ここで、トラッキング方向の駆動は、光スポットがトラック中心に形成されるように、対物レンズを光ディスクのラジアル方向に調整することである。
【０００４】
光ピックアップアクチュエータは、トラッキング方向とフォーカス方向との駆動、すなわち、２軸駆動が基本である。近来には、高密度光保存機器の具現のために対物レンズの開口数が増加し、レーザ光源の波長が短くなって、光ピックアップアクチュエータのチルト方向のマージンが減るにつれて、これを補償するために既存の２軸駆動、すなわち、フォーカス方向とトラッキング方向との駆動に付加してチルト方向、特に、ラジアルチルト方向の駆動まで可能な３軸駆動方式の光ピックアップアクチュエータが要求される。このようにフォーカス方向及びトラック方向の駆動に付加してチルト方向の駆動まで可能な３軸駆動方式の光ピックアップアクチュエータをチルト駆動光ピックアップアクチュエータという。
【０００５】
チルト駆動光ピックアップアクチュエータは、４面使用の磁気回路を設計する構造が一般的である。ここで、４面使用の磁気回路とは、レンズホルダの４側面に駆動コイル及び磁石を配置した構造である。
【０００６】
図１は、従来のチルト駆動光ピックアップアクチュエータの一例を概略的に示す平面図である。
【０００７】
図面を参照すれば、従来のチルト駆動光ピックアップアクチュエータは、対物レンズ１が搭載されるレンズホルダ２と、前記レンズホルダ２をはじめとする駆動部全体をベース（図示せず）に対してフォーカス方向及びトラッキング方向に動けるように一端がレンズホルダ２に結合され、他端がベース（図示せず）に設けられたホルダ３に固定された複数のワイヤー６と、前記駆動部を駆動するための４面使用の磁気回路と、を含んで構成される。
【０００８】
駆動部全体をベースに対して支持するサスペンション役割をするワイヤー６は、４つが備わる。図１には、４つのワイヤー６のうち２つだけが示される。図１で、９はチルト方向の駆動のための電流印加通路として使われるワイヤーである。
【０００９】
従来の磁気回路は、光ディスクのラジアル方向にレンズホルダ２の両端部方向に設置される一対のフォーカスコイル４ａ，４ｂと、光ディスクのタンゼンシャル方向にレンズホルダ２の両側面に設置される一対のトラッキングコイル４ｃ，４ｄと、前記フォーカスコイル及びトラッキングコイル４ａ，４ｂ，４ｃ，４ｄに流れる電流との相互作用で前記駆動部を駆動させるための電磁気力を発生させる磁石５ａ，５ｂ，５ｃ，５ｄ及び複数のヨーク８と、を含んで構成される。
【００１０】
前記のような構成を有する従来のチルト駆動の光ピックアップアクチュエータでは、フォーカスコイル４ａ，４ｂ及びトラッキングコイル４ｃ，４ｄに電流を印加すれば、前記フォーカスコイル４ａ，４ｂ及びトラッキングコイル４ｃ，４ｄに流れる電流と磁石５ａ，５ｂ，５ｃ，５ｄから出る磁巻取枠の相互作用によってフォーカスコイル４ａ，４ｂ及びトラッキングコイル４ｃ，４ｄに電磁気力が作用し、これにより駆動部全体がフォーカス方向及びトラッキング方向に移動し、これによりレンズホルダ２に搭載された対物レンズ１がフォーカス方向及びトラッキング方向に移動する。
【００１１】
また、一対のフォーカスコイル４ａ，４ｂに相互反対方向に電磁気力が作用するように一対のフォーカスコイル４ａ，４ｂに各々電流を印加すれば、駆動部は、ラジアルチルト方向に移動し、これによりレンズホルダ２に搭載された対物レンズ１がラジアルチルト方向に移動する。
【００１２】
このように、フォーカス及びチルトの駆動は、電磁気力の作用方向が対物レンズ１の中心軸と並んでいるので、同じ磁石５ａ，５ｂ及びコイル４ａ，４ｂが使われる。すなわち、一対のフォーカスコイル４ａ，４ｂに同じ値の電流を印加すれば、一定変位を有するフォーカス運動が発生し、サイズは同じであるが、方向が反対である電流を入力すれば、チルト運動が発生する。
【００１３】
しかし、前記のような従来のチルト駆動の光ピックアップアクチュエータは各々、別途にあらかじめ巻線された４つのコイル４ａ，４ｂ，４ｃ，４ｄをレンズホルダ２の４側面に設置し、全て４つの独立された磁石５ａ，５ｂ，５ｃ，５ｄを含む４面使用の磁気回路を備えるので、４つの独立された磁石５ａ，５ｂ，５ｃ，５ｄ及び４つの独立されたコイル４ａ，４ｂ４ｃ，４ｄの使用による部品数及び生産コストの増加によって生産性が悪化する問題がある。
【００１４】
これは、あらかじめ巻線されたコイルを使用するということは、コイルを巻線する工程及び巻線された工程をレンズホルダに付着する工程を必要とするので、製作工程数が多く、直接巻線することに比べて不良率が高くて、独立された磁石を４つも必要とするためである。
【００１５】
また、従来のチルト駆動の光ピックアップアクチュエータは、レンズホルダ２の４面に対面するように磁石が位置し、これに対応してフォーカスコイル及びトラッキングコイルもレンズホルダ２の４面に各々位置するので、コイル間の配線が複雑である問題がある。
【発明の開示】
【発明が解決しようとする課題】
【００１６】
本発明は前記問題点を改善するために案出されたものであって、２つの単極着磁磁石だけを使用してフォーカス方向及びトラッキング方向に付加してチルト方向の駆動までも可能な低コスト型の磁気回路を備えるチルト駆動可能な光ピックアップアクチュエータ及びこれを採用した光記録及び／または再生機器、並びに方法を提供するのにその目的がある。
【課題を解決するための手段】
【００１７】
前記目的を達成するために本発明は、対物レンズが搭載され、サスペンションによってベースに対して動き自在に支持されるレンズホルダと、前記対物レンズを駆動するための磁気回路とを含む光ピックアップアクチュエータにおいて、前記磁気回路は、相互対面するように前記ベースに位置する一対の単極着磁磁石と、前記一対の単極着磁磁石間に位置するように前記レンズホルダに設置されるフォーカスコイルと、前記単極着磁磁石と対面する前記フォーカスコイルの側面に位置する複数のトラッキングコイルと、前記対物レンズの中心軸の上下方向に対応する前記フォーカスコイルの上部及び／または下部に位置する複数のチルトコイルと、を含むことを特徴とする。
【００１８】
本発明の一実施例によれば、前記一対の単極着磁磁石は、前記レンズホルダの両側面と対面するようにベースに位置し、前記フォーカスコイルは、前記レンズホルダの周りに巻線され、前記トラッキングコイルは、前記単極着磁磁石と対面する前記レンズホルダの側面に設置され、前記チルトコイルは、前記レンズホルダの上部及び／または下部に設置された対称形構造でありうる。
【００１９】
この時、前記レンズホルダに前記トラッキングコイルを巻線できるように複数の巻取枠が形成され、その巻取枠にトラッキングコイルを巻線するか、または前記レンズホルダにトラッキングコイルを付着する構造でありうる。
【００２０】
前記レンズホルダの上部及び／または下部の対物レンズのラジアル方向に沿う両側に巻取枠が形成されており、前記チルトコイルは、前記レンズホルダの上部及び／または下部に形成された一対の巻取枠に各々巻線されうる。
【００２１】
前記レンズホルダには前記対物レンズを設置するための設置部が前記レンズホルダの上部に配置されたチルトコイルと離隔形成されており、熱が前記対物レンズに及ぼす影響を減らせることが望ましい。
【００２２】
前記レンズホルダには前記フォーカスコイル、トラッキングコイル及び／またはチルトコイルから発生した熱が対物レンズに伝えられることを抑制するために熱伝達遮断用孔が少なくとも一つ以上形成されていることが望ましい。
【００２３】
本発明の他の実施例によれば、前記対物レンズは、前記レンズホルダの一側に搭載され、前記一対の単極着磁磁石は、前記対物レンズの一側で相互対面するように前記ベースに位置し、前記フォーカスコイル、トラッキングコイル及びチルトコイルを含むコイルアセンブリが前記一対の単極着磁磁石間に位置するように前記レンズホルダの他側に搭載される非対称形構造でありうる。
【００２４】
ここで、前記コイルアセンブリは、少なくともフォーカスコイルが整列巻線されるボビンをさらに含みうる。
【００２５】
前記ボビンには前記トラッキングコイルを巻線できるように巻取枠が形成されており、前記トラッキングコイルは、前記ボビンに形成された巻取枠に巻線されうる。
【００２６】
前記ボビンの上部及び／または下部の対物レンズのラジアル方向に沿う両側に巻取枠が形成されており、前記チルトコイルは、前記ボビンの上部及び／または下部に形成された一対の巻取枠に各々巻線されうる。
【００２７】
代案として、前記コイルアセンブリは、前記フォーカスコイル、トラッキングコイル及びチルトコイルであらかじめ巻線されたバルク型コイルを使用し、前記フォーカスコイルに前記トラッキングコイル及びチルトコイルを付着した構造でありうる。
【００２８】
ここで、磁巻取枠をガイドするために、前記磁気回路の上部に位置するブリッジをさらに含みうる。
【００２９】
前記ブリッジから延び、前記一対の単極着磁磁石を支持する一対の外側ヨーク及び／または前記ブリッジから延び、前記コイルアセンブリのチルトコイルの内側に配置される一対の内側ヨークをさらに含みうる。
【００３０】
代案として、前記ベースに形成されており、前記単極着磁磁石がマウントされる一対の外側ヨーク及び／または、前記チルトコイルの内側に位置するようにベースに形成された一対の内側ヨークをさらに備えうる。
【００３１】
前記トラッキングコイルが前記フォーカスコイルより前記単極着磁磁石に近く位置するか、または前記フォーカスコイルが前記トラッキングコイルより単極着磁磁石に近く位置しうる。
【００３２】
前記目的を達成するために本発明は、対物レンズが搭載され、サスペンションによってベースに対して動き自在に支持されるレンズホルダと、前記対物レンズを駆動するための磁気回路とを含む光ピックアップアクチュエータにおいて、前記磁気回路は、前記対物レンズの一側で相互対面するように前記ベースに位置する一対の単極着磁磁石と、前記一対の単極着磁磁石間に位置するように前記レンズホルダに設置され、前記一対の単極着磁磁石が配置される方向とクロスなる方向とに配置された一対のフォーカスコイルと、前記単極着磁磁石と対面する前記一対のフォーカスコイルの少なくとも一側面に位置する複数のトラッキングコイルとを含み、前記一対の単極着磁磁石間に位置するように前記レンズホルダに搭載されるコイルアセンブリと、を含む非対称形構造であることを特徴とする。
【００３３】
ここで、前記コイルアセンブリは、前記フォーカスコイル及びトラッキングコイルであらかじめ巻線されたバルク型コイルを使用し、前記一対のフォーカスコイルに前記複数のトラッキングコイルを付着した構造でありうる。
【００３４】
前記目的を達成するために本発明は、対物レンズを駆動するアクチュエータを備え、光情報保存媒体の半径方向に移動可能に設置されて光情報保存媒体に記録された情報を再生するか、または情報を記録する光ピックアップと、フォーカス、トラック及び／またはチルトサーボを制御するための制御部とを含む光記録及び／または再生機器において、前記アクチュエータは、対物レンズが搭載され、サスペンションによってベースに対して動き自在に支持されるレンズホルダと、相互対面するように前記ベースに位置する一対の単極着磁磁石と、前記一対の単極着磁磁石間に位置するように前記レンズホルダに設置されるフォーカスコイルと、前記単極着磁磁石と対面する前記フォーカスコイルの側面に位置する複数のトラッキングコイルと、前記対物レンズの中心軸の上下方向に対応する前記フォーカスコイルの上部及び／または下部に位置する複数のチルトコイルとを含み、前記対物レンズを駆動する磁気回路と、を含むことを特徴とする。
【００３５】
ここで、前記アクチュエータは、前記一対の単極着磁磁石が前記レンズホルダの両側面と対面するようにベースに位置し、前記フォーカスコイルは、前記レンズホルダの周りに巻線され、前記トラッキングコイルは、前記単極着磁磁石と対面する前記レンズホルダの側面に設置され、前記チルトコイルは、前記レンズホルダの上部及び／または下部に設置された対称形構造でありうる。
【００３６】
また、前記アクチュエータは、前記対物レンズは、前記レンズホルダの一側に搭載され、前記一対の単極着磁磁石は、前記対物レンズの一側で相互対面するように前記ベースに位置し、前記フォーカスコイル、トラッキングコイル及びチルトコイルを含むコイルアセンブリが前記一対の単極着磁磁石間に位置するように前記レンズホルダに搭載される非対称形構造でありうる。
【００３７】
前記目的を達成するために本発明は、対物レンズを駆動するアクチュエータを備え、光情報保存媒体の半径方向に移動可能に設置されて光情報保存媒体に記録された情報を再生するか、または情報を記録する光ピックアップと、フォーカス、トラック及び／またはチルトサーボを制御するための制御部とを含む光記録及び／または再生機器において、前記アクチュエータは、対物レンズが搭載され、サスペンションによってベースに対して動き自在に支持されるレンズホルダと、前記対物レンズの一側で相互対面するように前記ベースに位置する一対の単極着磁磁石と、前記一対の単極着磁磁石間に位置するように前記レンズホルダに設置され、前記一対の単極着磁磁石が配置される方向とクロスされる方向に配置された一対のフォーカスコイルと、前記単極着磁磁石と対面する前記一対のフォーカスコイルの少なくとも一側面に位置する複数のトラッキングコイルとを含み、前記一対の単極着磁磁石間に位置するように前記レンズホルダに搭載されるコイルアセンブリを含んで、対物レンズを駆動する磁気回路と、を含む非対称形構造であることを特徴とする。
【００３８】
前記目的を達成するために本発明は、光ピックアップアクチュエータの対物レンズが搭載される動き可能なレンズホルダの制御正確度を増加させる方法において、一対の単極磁石から発生した磁巻取枠の方向を制御する段階、前記レンズホルダの上部に位置した一対のチルトコイル各々を通じて電流が流れる方向を制御する段階及び前記動き可能なレンズホルダを動かす段階を含んで、前記チルトコイルは、相互反対側に巻線されて前記一対の単極磁石と対面することを特徴とする。
【００３９】
前記対物レンズのラジアル方向に前記レンズホルダの上部に巻取枠が形成されうる。
【００４０】
前記チルトコイルは、フォーカスコイルと平行に巻線され、前記動き可能なレンズホルダを動かす段階は、ラジアルチルト方向に前記レンズホルダを駆動する段階を含みうる。
【００４１】
前記対物レンズの近くにラジアルチルト駆動力の中心を置くことによってフォーカス動きにおける干渉を減少させる段階をさらに備えうる。
【発明の効果】
【００４２】
本発明による光ピックアップアクチュエータは、対称形と非対称形とも可能であり、単極着磁磁石を使用し、単極着磁磁石の数を２つに制限することによっても３軸駆動が可能であるので、材料コストが節減され、スリム型及びこれより厚い形態にも全て適用可能である。材料コストが節減される理由は、２つの低コストの単極着磁磁石を利用して磁気回路を構成するためである。
【００４３】
また、レンズホルダまたはボビンに少なくとも一部コイルを直接的に巻線する場合、製品のばらつきが減って不良率を減らせる。
【００４４】
また、本発明による光ピックアップアクチュエータは、線形性が保証される。線形性は、同一面上に分極を多く適用するほど低下するが、これは分極と分極間に存在する領域での磁巻取枠密度が０であるため、この領域に近くなるほどその遷移区間で磁巻取枠密度によるローレンツ力の総合力が変わるためである。本発明による光ピックアップアクチュエータは、単極着磁磁石を使用するため、線形性に優れる。
【００４５】
また、本発明による対称形光ピックアップアクチュエータによれば、レンズホルダの対物レンズ設置部と巻取枠間にギャップ及び／またはレンズホルダに少なくとも一つの熱伝達遮断用孔を形成することによって過電流でも対物レンズを保護しうる。
【発明を実施するための最良の形態】
【００４６】
本発明による光ピックアップアクチュエータは、図２、図９、図１５及び図１６に示されたように、一対の単極着磁磁石を使用し、フォーカス、トラック及びチルトサーボを具現できるように磁気回路を構成した点にその特徴がある。
【００４７】
本発明による光ピックアップアクチュエータにおいて、磁気回路は、図２、図９及び図１５に示されたように、一対の単極着磁磁石、フォーカスコイル、フォーカスコイルの側面に位置する複数のトラッキングコイル、対物レンズの中心軸の上下方向に対応するフォーカスコイルの上部及び／または下部に位置する複数のチルトコイルを含んで構成されうる。
【００４８】
また、本発明による光ピックアップアクチュエータにおいて、磁気回路は、図１６に示されたように、一対の単極着磁磁石、一対の単極着磁磁石が配置される方向とクロスされる方向に配置される一対のフォーカスコイル及び一対のフォーカスコイルの側面に位置する複数のトラッキングコイルを含んで構成されうる。
【００４９】
図２は、本発明の望ましい一実施例による光ピックアップアクチュエータを概略的に示す斜視図であり、図３は、図２のレンズホルダだけを抜粋して示す斜視図であり、図４は、図２の平面図、図５は、図２のＡ−Ａ線断面図である。
【００５０】
図２ないし図５を参照すれば、本発明の一実施例による光ピックアップアクチュエータは、対物レンズ１０が搭載されるレンズホルダ２０と、一端がレンズホルダ２０に結合され、他端がベース１１上の一側に設けられたホルダ（図示せず）に固定されてレンズホルダ２０をベース１１に対して動き自在に支持するサスペンション１３と、レンズホルダ２０及びベース１１に設置される磁気回路を含んで構成され、対称形構造である。
【００５１】
また、前記磁気回路は、ラジアル方向と並んでいるレンズホルダ２０の両側面と対面するようにベース１１に位置する一対の単極着磁磁石３１と、前記レンズホルダ２０の周りに巻線されたフォーカスコイル３３と、単極着磁磁石３１に対面するレンズホルダ２０の側面に設置された複数のトラッキングコイル３５と、レンズホルダ２０の上部に設置された複数のチルトコイル３７と、を含んで構成される。前記一対の単極着磁磁石３１は、光情報保存媒体の光ディスクのタンゼンシャル方向にレンズホルダ２０の両側面に対面するようにベース１１に設置される。
【００５２】
前記サスペンション１３は、４つが備わり、トラッキング制御及びフォーカス制御のための電流印加用ワイヤーとして使われることが望ましい。本発明の一実施例による光ピックアップアクチュエータは、４つのサスペンション１３に付加して、チルト駆動用電流を印加するための２つのワイヤー１４をさらに備える。
【００５３】
本発明の一実施例による光ピックアップアクチュエータは、一対の単極着磁磁石３１を備える点に付加して、少なくとも一部コイルをレンズホルダ２０に直接的に巻線できるようにレンズホルダ２０に巻取枠を形成し、その巻取枠にコイルを直接的に巻線した点に特徴がある。
【００５４】
図２ないし図５では、レンズホルダ２０の本体をフォーカスコイル３３を直接的に巻線できるように巻取枠構造に形成し、トラッキングコイル３５及びチルトコイル３７を全て直接的に巻線できるようにレンズホルダ２０に巻取枠３６，３８を形成した例を示す。
【００５５】
フォーカスコイル３３は、前記一対の単極着磁磁石３１との相互作用によってアクチュエータの駆動部全体をフォーカス方向に移動させうる電磁気力が発生するように、レンズホルダ２０の周りに巻線される。
【００５６】
レンズホルダ２０の本体は、レンズホルダ２０の周りにフォーカスコイル３３を直接的に巻線できるように巻取枠構造に形成されうる。ここで、レンズホルダ２０の本体を巻取枠構造に形成する代わりに、フォーカスコイル３３の巻線位置をサスペンション１３を設置するための突出片２３及び／またはトラッキングコイル３５を巻線するための巻取枠３６によって限定させることも可能である。
【００５７】
対物レンズ１０の中心軸方向を上下方向、すなわち、フォーカス方向といい、光情報保存媒体に近い方向を上部、その反対側を下部という時、前記フォーカスコイル３３は、単極着磁磁石３１から発生した磁場によって、そのフォーカスコイル３３に流れる電流の方向及び単極着磁磁石３１から発生した磁巻取枠の方向によって、フレミングの左手法則によって上向きまたは下向きに電磁気力を受け、これにより本発明による光ピックアップアクチュエータの駆動部全体がフォーカス方向に移動する。
【００５８】
一方、図２ないし図５に示されたように、前記レンズホルダ２０にはトラッキングコイル３５を単極着磁磁石３１と対面するレンズホルダ２０の側面に設置できるように巻取枠３６が形成され、トラッキングコイル３５は、この巻取枠３６に直接的に巻線されたことが望ましい。トラッキングコイル３５は、単極着磁磁石３１との相互作用によってトラッキング方向への制御のための電磁気力を発生させるように、トラッキングコイル３５の一部だけが単極着磁磁石３１と正面に対面するように配置される。また、トラッキングコイル３５及びこれを巻線するための巻取枠３６は、アクチュエータの駆動部全体を安定的にトラッキング方向に移動させるように図２に示されたように、ラジアル方向に並んでレンズホルダ２０の両側面に各々一対ずつ備わったことが望ましい。すなわち、トラッキングコイル３５は、全て４つが備わることが望ましい。
【００５９】
図２ないし図５では、トラッキングコイル３５がフォーカスコイル３３の外側に巻線される場合を示す。図２ないし図５に示されたように、トラッキングコイル３５がフォーカスコイル３３の外側に巻線すれば、トラッキングコイル３５が単極着磁磁石３１にさらに近く位置するので、トラッキング感度をさらに良くできる。
【００６０】
代案として、本発明による光ピックアップアクチュエータは、図６に示されたように、フォーカスコイル３３をトラッキングコイル３５の外側に巻いてフォーカスコイル３３が単極着磁磁石３１によって近く位置するように構成されることも可能である。このようにフォーカスコイル３３をトラッキングコイル３５の外側に巻く場合、フォーカス感度をさらに高めうる。このように、フォーカスコイル３３をトラッキングコイル３５の外側に巻く構造は、図２ないし図５に示されたような本発明の一実施例及び後述する図７に示された本発明の他の実施例の場合に全て適用されうる。
【００６１】
一方、図２ないし図５に示されたように、前記レンズホルダ２０にはチルトコイル３７を巻線できるように巻取枠３８を形成し、チルトコイル３７をこの巻取枠３８に直接的に巻線することが望ましい。
【００６２】
図２ないし図５は、一対のチルトコイル３７によってラジアルチルト方向にアクチュエータの駆動部を駆動できるように巻取枠３８がラジアル方向に対物レンズ１０の両側に位置するように形成され、この巻取枠３８にチルトコイル３７が巻線された例を示す。
【００６３】
前記巻取枠３８は、図２ないし図５に示されたように、レンズホルダ２０の上部の対物レンズ１０のラジアル方向に沿う両側に各々位置すると同時に、各チルトコイル３７の両側部分が一対の単極着磁磁石３１と対面して有効コイルとして使われるようにチルトコイル３７を巻線できるように設けられたことが望ましい。この場合、チルトコイル３７は、フォーカスコイル３３と平行に巻線される。
【００６４】
この時、レンズホルダ２０の上部に位置した一対のチルトコイル３７は、相互反対方向に巻線されることが望ましい。この場合、同じ電流を一対のチルトコイル３７に印加する時、一対のチルトコイル３７で実際電流が流れる方向が相反し、このチルトコイル３７に流れる電流の方向及び単極着磁磁石３１から発生した磁巻取枠の方向を考慮する時、フレミングの左手法則によって相反する上下方向の電磁気力が発生し、これにより駆動部がチルト方向に移動する。
【００６５】
したがって、前記のように巻取枠３８を形成し、これにチルトコイル３７を巻線すれば、タンゼンシャル方向に対物レンズ１０の両側に配置された一対の単極着磁磁石３１と一対のチルトコイル３７との相互作用によってアクチュエータ駆動部全体を安定的にラジアルチルト方向に駆動することが可能である。
【００６６】
ここで、前記のように、巻取枠３８をレンズホルダ２０の上部に形成して、チルトコイル３７をレンズホルダ２０の上部に位置させれば、対物レンズ１０がレンズホルダ２０の上部に設置されるので、ラジアルチルト駆動中心が対物レンズ１０に近く位置されて、チルト駆動時にフォーカスに干渉を起こすことを最小化できる利点がある。
【００６７】
整列巻線が可能になるようにレンズホルダ２０に巻取枠３６，３８を形成して、フォーカスコイル３３、トラッキングコイル３５及び／またはチルトコイル３７をレンズホルダ２０に直接的に巻線する場合には、巻取枠３６，３８が過電流の流入時にコイル変形抑制用ガイドの役割もする利点がある。
【００６８】
以上、前述したように、本発明の一実施例による光ピックアップアクチュエータは、図２ないし図５に示されたようなレンズホルダ２０及び磁気回路構成を有する場合、２つの単極着磁磁石３１、整列巻線が可能なレンズホルダ２０、２つのチルトコイル３７、１つのフォーカスコイル３３及び４つのトラッキングコイル３５を備える３軸駆動アクチュエータとなる。
【００６９】
本発明の他の実施例による光ピックアップアクチュエータを概略的に示す図７を参照すれば、本発明による光ピックアップアクチュエータは、チルトコイル３７を巻線するための巻取枠３８がレンズホルダ２０の下部の対物レンズ１０のラジアル方向に沿う両側によって形成され、チルトコイル３７がこの巻取枠３８に各々さらに巻線された構造を有することもある。すなわち、本発明による光ピックアップアクチュエータは、チルトコイル３７を上下各々２つずつラジアル方向に配置した構造を有することもある。
【００７０】
この時、光ピックアップアクチュエータ全体の高さを、本発明の一実施例の場合と同じにするには、フォーカスコイル３３が占める部分を減らせば良い。
【００７１】
図７に示されたように、レンズホルダ２０の下部にラジアルチルト駆動のための一対のチルトコイル３７をさらに備えれば、ラジアルチルト駆動力をさらに強くできる利点がある。
【００７２】
図７に示された光ピックアップアクチュエータは、２つの単極着磁磁石３１、整列巻線が可能になるように設けられたレンズホルダ２０、４つのチルトコイル３７、１つのフォーカスコイル３３及び４つのトラッキングコイル３５を備える３軸駆動アクチュエータである。
【００７３】
一方、図２ないし図７に示されたように、レンズホルダ２０にはその上部に突出するように対物レンズ１０を設置するための設置部２５が設けられているが、この設置部２５及びレンズホルダ２０の上部に形成された一対の巻取枠３８及びそれに巻線されたチルトコイル３７間には所定のギャップｇが形成されたことが望ましい。図７のように、レンズホルダ２０の下部にもチルトコイル３７を設置する場合には、レンズホルダ２０の下部での対物レンズ１０設置部２５と巻取枠３８間にもギャップｇを形成することがさらに望ましい。
【００７４】
このように、チルトコイル３７と設置部２５間を離隔させてチルトコイル３７が設置部２５に接しないようにすれば、チルト制御時にチルトコイル３７に印加された電流によって発生した熱が対物レンズ１０に及ぼす影響を減らし、過電流から対物レンズを保護しうる。これは、設置部２５とチルトコイル３７間を離隔させれば、熱パスを長くできて、熱伝達速度を遅くできるためである。
【００７５】
付加的に、前記レンズホルダ２０には図８に示されたように、設置部２５の周辺に熱パスをさらに長くするために、熱伝達遮断用孔２７を少なくとも一つ以上形成することがさらに望ましい。図８は、チルトコイル３７巻線用巻取枠３８と対物レンズ１０設置部２５間に熱伝達遮断用孔２７を形成した例を示す。このような熱伝達遮断用孔２７は、図２、図６及び図７の場合に全て適用されうる。
【００７６】
前記熱伝達遮断用孔２７は、レンズホルダ２０が要求される剛性を有する範囲内で開孔または閉孔形態に形成されうる。
【００７７】
一方、前述したような本発明の実施例による光ピックアップアクチュエータは、図２及び図４に示したように、ベース１１に形成された一対の外側ヨーク１５及び／または外側ヨーク１５間に位置するようにベース１１に形成された一対の内側ヨーク１７をさらに備えることが望ましい。
【００７８】
前記外側ヨーク１５には前記単極着磁磁石３１がマウントされる。前記内側ヨークは、図４に示されたように、フォーカスコイル３３、トラッキングコイル３５及びチルトコイル３７に共通的に適用されるようにチルトコイル３７の内部に位置することが望ましい。
【００７９】
以上では、本発明による光ピックアップアクチュエータがトラッキングコイル３５及びチルトコイル３７を全てレンズホルダ２０に直接的に巻線する構成を有すると説明及び図示したが、本発明はこれに限定されていない。すなわち、本発明による光ピックアップアクチュエータは、トラッキングコイル３５及びチルトコイル３７のうち何れか一つをレンズホルダ２０に直接的に巻線し、残りはあらかじめ巻線されたバルク型コイルをレンズホルダ２０に付着する構造を有することもある。
【００８０】
また、本発明による光ピックアップアクチュエータは、トラッキングコイル３５及びチルトコイル３７として使われるあらかじめ巻線されたバルク型コイルをレンズホルダ２０に付着する構造を有することもある。
【００８１】
チルトコイル３７をレンズホルダ２０に付着する場合にも、チルトコイル３７は、前記設置部２５と離隔されるようにレンズホルダ２０の上部に付着され、チルトコイル３７から発生した熱が対物レンズ１０に及ぼす影響を減らすことが望ましい。
【００８２】
レンズホルダ２０を巻取枠３６及び／または巻取枠３８を有しない構造に形成し、トラッキングコイル３５及び／またはチルトコイル３７をレンズホルダ２０に付着する構造については、図２ないし図８から十分に類推できるので、これについては図示を省略する。
【００８３】
前記のような本発明の一実施例による対称形光ピックアップアクチュエータは、２面使用磁気回路に当る構造である。これは、本発明による光ピックアップアクチュエータがレンズホルダ２０の４側面のうち２側面だけを磁気回路を配置するのに使用するためである。ここで、図１を参照として説明した従来の光ピックアップアクチュエータは、レンズホルダ２０の４側面を全て磁気回路を配置するのに使用する。
【００８４】
以上では、本発明の磁気回路を対物レンズ中心と駆動中心とが一致する対称形アクチュエータに適用した実施例を説明及び図示したが、本発明の磁気回路は、対物レンズ中心と駆動中心とが一致しない非対称形アクチュエータに適用されることもある。
【００８５】
図９は、本発明による光ピックアップアクチュエータの他の実施例であって、非対称形光ピックアップアクチュエータを示す斜視図であり、図１０は、図９の分離斜視図である。図１１は、図９のＸＩ−ＸＩ線を基準とした側面図である。
【００８６】
図９ないし図１１を参照すれば、本発明の他の実施例による光ピックアップアクチュエータは、レンズホルダ５０の一側に対物レンズ１０が搭載され、一対の単極着磁磁石３１が対物レンズ１０一側で相互対面するようにベース５１に位置し、フォーカスコイル３３、トラッキングコイル３５及びチルトコイル３７を含むコイルアセンブリ６０が前記単極着磁磁石３１間に位置するようにレンズホルダ５０に搭載される非対称形構造よりなる。図９及び図１０で、５２はベース５１上の一側に設けられて、サスペンション１３が固定されるホルダである。サスペンション１３は、前述したように、一端がレンズホルダ５０に結合され、他端が前記ホルダ５２に固定されてレンズホルダ５０をベース５１に対して動き自在に支持する。
【００８７】
ここで、前記実施例と実質的に同じ機能をする部材は、同じ参照番号で表示し、可能なかぎり反復的な説明は省略する。
【００８８】
本実施例において、前記コイルアセンブリ６０は、フォーカスコイル３３が巻線されるボビン６１を含んで、少なくともフォーカスコイル３３がボビン６１に整列巻線される構造を有する。
【００８９】
図１０は、前記ボビン６１にトラッキングコイル３５を巻線するための巻取枠６６及びチルトコイル３７を巻線するための巻取枠６８が形成された例を示す。前記巻取枠６８は、ボビン６１の上部及び／または下部の対物レンズ１０のラジアル方向に沿う両側に形成され、チルトコイル３７は、この巻取枠６８に各々巻線される。図９ないし図１１では、ボビン６１の上部の対物レンズ１０のラジアル方向に沿う両側に巻取枠６８が形成され、この巻取枠６８にチルトコイル３７が巻線される例を示す。チルトコイル３７を巻線するための巻取枠６８及びそれに巻線されるチルトコイル３７は、図７のように、ボビン６１の下部にも設けられうる。
【００９０】
図１０に示されたように、ボビン６１にトラッキングコイル３５及びチルトコイル３７を巻線するための巻取枠６６,６８を形成する場合、フォーカスコイル３３だけでなく、トラッキングコイル３５及びチルトコイル３７も整列巻線しうる。
【００９１】
図２及び図３と図１０とを相互比較する時、前記コイルアセンブリ６０において、前記ボビン６１は、サスペンション１３を設置するための突出片２３及び対物レンズ１０を設置するための設置部２５を排除すれば、前記実施例でのレンズホルダ２０と実質的に同じ構造を有し、フォーカスコイル３３、トラッキングコイル３５及びチルトコイル３７間の相対的な配置関係も前記実施例と実質的に同じである。
【００９２】
ここでは、前記コイルアセンブリ６０がトラッキングコイル３５及びチルトコイル３７をボビン６１に直接的に巻線する構成を有すると説明及び図示したが、前記コイルアセンブリ６０は、トラッキングコイル３５及びチルトコイル３７のうち何れか一つは、ボビン６１に直接的に巻線し、残りはあらかじめ巻線されたバルク型コイルをボビン６１に付着する構造を有することもある。
【００９３】
また、前記コイルアセンブリ６０は、トラッキングコイル３５及びチルトコイル３７で全てあらかじめ巻線されたバルク型コイルを使用してボビン６１に付着する構造よりなることもある。
【００９４】
一方、図１０、図１２及び図１３を参照すれば、本発明の他の実施例による光ピックアップアクチュエータは、磁巻取枠をガイドするためにトップカバー７０または１７０をさらに含むことが望ましい。
【００９５】
図１２に示されたように、トップカバー７０は、磁気回路の上部に位置するブリッジ７１と、前記ブリッジ７１から延びた一対の外側ヨーク７３と一対の内側ヨーク７５を含んで構成されうる。前記外側ヨーク７３それぞれの内側には単極着磁磁石３１が設置され、その両端はベース５１に結合されうる。前記内側ヨーク７５は、前記チルトコイル３７の内側に配置されるように形成され、チルトコイル３７の内側を貫通してベース５１に結合されることが望ましい。
【００９６】
代案として、図１３に示されたように、トップカバー１７０は、ブリッジ１７１と内側ヨーク１７５とを備え、部分外側ヨーク１７３を有するように構成されることもある。この場合には、ベース１５１に前記部分外側ヨーク１７３と結合される部分外側ヨーク１７４を設けて、この部分外側ヨーク１７４に単極着磁磁石３１を支持させ、トップカバー１７０の内側ヨーク１７５をベース１５１に結合すれば、そのトップカバー１７０のブリッジ１７１から延びた部分外側ヨーク１７３がベース１５１の部分外側ヨーク１７４と結合されつつ単極着磁磁石３１を支持する。
【００９７】
それ以外にも、トップカバーの構造は、多様な変形例が可能である。すなわち、トップカバーは、ブリッジ及び内側ヨークだけを備える構成を有することもある。この場合、単極着磁磁石３１をマウントする外側ヨークは、ベースに形成される。
【００９８】
他の例として、ベースに内側ヨークを設け、トップカバーにブリッジと単極着磁磁石３１とが固定される外側ヨークを設けてベースに結合させることもある。
【００９９】
トップカバーが上記いかなる場合の構成を有しても、一対の単極着磁磁石３１間の制限された狭い空間に配置されるコイルアセンブリ６０と共に非常に効果的な制御感度が得られる。
【０１００】
一方、本発明の他の実施例による光ピックアップアクチュエータでは、前記のようなトップカバーを備える代わりに、図１４に示されたように外側ヨーク２７３及び内側ヨーク２７５を全てベース２５１に形成することもある。
【０１０１】
図１５は、本発明のさらに他の実施例による光ピックアップアクチュエータを示す分離斜視図であって、図１０と比較する時、コイルアセンブリ１６０が、あらかじめ巻線されたバルクタイプのコイルを相互付着して得られるものであって、整列巻線ボビンが排除された構造である点にその特徴がある。図１５では、コイルアセンブリ１６０を除外した残りの構成を図１０と同一に図示したが、これに限定されず、前記実施例のように、トップカバー及び／またはベース構造の多様な変形が可能である。ここで、前記実施例と実質的に同じ機能をする部材は、同じ参照符号で表示し、可能なかぎり説明を省略する。
【０１０２】
図１５に示されたように、コイルアセンブリ１６０は、フォーカスコイル１３３、トラッキングコイル１３５及びチルトコイル１３７が全てあらかじめ巻線されたバルクタイプのコイルよりなり、フォーカスコイル１３３にトラッキングコイル１３５及びチルトコイル１３７を付着した構成を有しうる。この時、フォーカスコイル１３３、トラッキングコイル１３５及びチルトコイル１３７の配置構造及びその機能は、図１０でのフォーカスコイル３３、トラッキングコイル３５及びチルトコイル３７を含むコイルアセンブリ６０の場合と実質的に同じである。
【０１０３】
図１６は、本発明のさらに他の実施例による非対称形光ピックアップアクチュエータの分離斜視図を示すものであって、コイルアセンブリ２６０が、一対の単極着磁磁石３１が配置される方向とクロスされる方向に配置した一対のフォーカスコイル２３３ａ，２３３ｂと、単極着磁磁石３１と対面する一対のフォーカスコイル２３３ａ，２３３ｂの少なくとも一側面に位置する複数のトラッキングコイル２３５を含んで構成され、チルトコイルが排除された構造である点にその特徴がある。
【０１０４】
図１６では、図１５の場合と同様に、コイルアセンブリ２６０は、整列巻線ボビンが排除された構造よりなりうる。すなわち、コイルアセンブリ２６０は、フォーカスコイル２３３ａ，２３３ｂ、トラッキングコイル２３５が全てあらかじめ巻線されたバルクタイプのコイルよりなり、一対のフォーカスコイル２３３ａ，２３３ｂを相互付着させ、このフォーカスコイル２３３ａ，２３３ｂにトラッキングコイル２３５を付着した構成を有しうる。
【０１０５】
この時、トップカバー７０に設けられた一対の内側ヨーク７５は、各々フォーカスコイル２３３ａ，２３３ｂの内側に配置される。
【０１０６】
図１６では、コイルアセンブリ２６０を除外した残りの構成を図１０と同一に図示したが、これに限定されず、前記実施例のように、トップカバー及び／またはベース構造の多様な変形が可能である。ここで、前記実施例と実質的に同じ機能をする部材は、同じ参照符号で表示し、可能なかぎり説明を省略する。
【０１０７】
図１７は、本発明による光ピックアップアクチュエータを採用した光記録及び／または再生機器の構成を概略的に示す図面である。
【０１０８】
図１７を参照すれば、光記録及び／または再生機器は、光情報保存媒体、例えば、光ディスクＤを回転させるためのスピンドルモータ３５５と、前記光ディスクＤの半径方向に移動可能に設置されて光ディスクに記録された情報を再生及び／または情報を記録する光ピックアップ２５０と、スピンドルモータ２５５と光ピックアップ２５０を駆動するための駆動部２５７と、光ピックアップ２５０のフォーカス、トラッキング及び／またはチルトサーボを制御するための制御部２５９と、を含む。ここで、３５２は、ターンテーブル、３５３は光ディスクＤをチャックするためのクランプを表す。
【０１０９】
光ピックアップ２５０は、光源から出射された光を光ディスクＤに集巻取枠させる対物レンズ１０を含む光ピックアップ光学系と、この対物レンズ１０を３軸駆動するための光ピックアップアクチュエータとを含む。この時、光ピックアップアクチュエータには前述したような本発明の多様な実施例による光ピックアップアクチュエータのうち何れか一つを適用しうる。
【０１１０】
光ディスクＤから反射された光は、光ピックアップ２５０に設けられた光検出器を通じて検出され、光電変換されて電気的信号に変わり、この電気的信号は、駆動部２５７を通じて制御部２５９に入力される。前記駆動部２５７は、スピンドルモータ２５５の回転速度を制御し、入力された信号を増幅させ、光ピックアップ２５０を駆動する。前記制御部２５９は、駆動部２５７から入力された信号に基づいて調節されたフォーカスサーボ、トラッキングサーボ及びチルトサーボ命令を再び駆動部２５７に送り、光ピックアップ２５０のフォーカシング、トラッキング及びチルト動作を具現させる。
【０１１１】
以上、図面及び明細書に最適の実施例が開示された。ここで、特定の用語が使われたが、これは単に本発明を説明するための目的から使われたものであって、意味限定や特許請求の範囲に記載された本発明の範囲を制限するために使われたものではない。したがって、当業者なら、これから多様な変形及び均等な他の実施例が可能であるということが理解できる。したがって、本発明の真の技術的保護範囲は、特許請求の範囲の技術的思想によって決まらなければならない。
【産業上の利用可能性】
【０１１２】
本発明による光ピックアップアクチュエータは、単極着磁磁石の数を２つに制限することによっても３軸駆動が可能であるので、材料コストが節減され、これにより光記録及び／または再生機器の製造コストを大きく低めうる。
【図面の簡単な説明】
【０１１３】
【図１】従来の光ピックアップアクチュエータの一例を概略的に示す平面図である。
【図２】本発明の望ましい一実施例による光ピックアップアクチュエータを概略的に示す斜視図である。
【図３】図２のレンズホルダだけを抜粋して示す斜視図である。
【図４】図２の平面図である。
【図５】図２のＡ−Ａ線断面図である
【図６】本発明の一実施例による光ピックアップアクチュエータの磁気回路の他の例を図５に対応するように示す図面である
【図７】本発明の一実施例による光ピックアップアクチュエータの磁気回路のさらに他の例を図５に対応するように示す図面である。
【図８】本発明の一実施例による光ピックアップアクチュエータにおけるレンズホルダの他の例を示す図面である。
【図９】本発明による光ピックアップアクチュエータの他の実施例であって、非対称形光ピックアップアクチュエータを示す斜視図である。
【図１０】図９の分離斜視図である。
【図１１】図９のＸＩ−ＸＩ線を基準にした側面図である。
【図１２】図９のトップカバー及びベースを抜粋して示す分離斜視図である。
【図１３】本発明の他の実施例による光ピックアップアクチュエータにおけるトップカバー及びベースの他の例を示す分離斜視図である。
【図１４】本発明の他の実施例による光ピックアップアクチュエータにおけるベースのさらに他の例を示す斜視図である。
【図１５】本発明のさらに他の実施例による非対称形光ピックアップアクチュエータを示す分離斜視図である。
【図１６】本発明のさらに他の実施例による非対称形光ピックアップアクチュエータを示す分離斜視図である。
【図１７】本発明による光ピックアップアクチュエータを採用した光記録及び／または再生機器の構成を概略的に示す図面である。
【符号の説明】
【０１１４】
１０  対物レンズ
１１  ベース
１３  サスペンション
１４  ワイヤー
１５  外側ヨーク
１７  内側ヨーク
２０  レンズホルダ
２３  突出片
２５  設置部
３１  単極着磁磁石
３３  フォーカスコイル
３５  トラッキングコイル
３７  チルトコイル
３６，３８  巻取枠
【図１】
2004234832.tif 000003
【図２】
2004234832.tif 000004
【図３】
2004234832.tif 000005
【図４】
2004234832.tif 000006
【図５】
2004234832.tif 000007
【図６】
2004234832.tif 000008
【図７】
2004234832.tif 000009
【図８】
2004234832.tif 000010
【図９】
2004234832.tif 000011
【図１０】
2004234832.tif 000012
【図１１】
2004234832.tif 000013
【図１２】
2004234832.tif 000014
【図１３】
2004234832.tif 000015
【図１４】
2004234832.tif 000016
【図１５】
2004234832.tif 000017
【図１６】
2004234832.tif 000018
【図１７】
2004234832.tif 000019